(57)【要約】【課題】複数の画像データを容易に選択及び選択決定する。【解決手段】保存画像選択モードでは、ＬＣＤに保存画像選択画面を表示し、メモリカードに記憶されたサムネイル画像データを選択用画像表示エリアに表示する。カーソルが位置する選択表示部に表示されているサムネイル画像データを、選択画像拡大表示エリアに拡大表示する。同じサムネイル画像データが表示された選択表示部及び選択画像拡大表示エリアを関連表示ラインで連結する。シフトキーを操作して保存するサムネイル画像データを選択決定する。選択決定されたサムネイル画像データを、選択決定画像表示エリアに表示する。同じサムネイル画像データが表示された選択画像拡大表示エリア及び決定表示部を関連表示ラインで連結する。保存するサムネイル画像データを全て選択決定し、ファンクションボタンを押圧すると、選択決定されていないサムネイル画像データを有する画像ファイルを消去する。【選択図】図８
2009253513.tif 000002
【特許請求の範囲】
【請求項１】
複数の撮影画像データを記憶する記憶手段と、
前記複数の撮影画像データそれぞれの縮小画像データを生成する縮小画像データ生成手段と、
複数の前記縮小画像データを表示する選択用画像表示エリアが設けられた表示手段と、
前記選択用画像表示エリアに表示された前記複数の縮小画像データの中の１つを選択する選択手段と、
前記表示手段に設けられ、前記選択手段で選択されている縮小画像データを表示する選択画像表示エリアと、
前記選択画像表示エリアに表示された縮小画像データを選択決定する決定手段と、
前記表示手段に設けられ、前記決定手段で選択決定された縮小画像データを複数表示する選択決定画像表示エリアと、
前記選択用画像表示エリアと前記選択画像表示エリアと前記選択決定画像表示エリアとに同じ縮小画像データが表示されているときに、それを関連付けて表示する表示制御手段と、を備えたことを特徴とする画像表示装置。
【請求項２】
前記選択画像表示エリアは、前記選択用画像表示エリア及び前記選択決定画像表示エリアよりも前記縮小画像データを拡大して表示することを特徴とする請求項１記載の画像表示装置。
【請求項３】
前記複数の縮小画像データから関連性を有する縮小画像データを検出する関連性検出手段を備え、
前記選択用画像表示エリアは、前記関連性検出手段で検出された関連性を有する複数の縮小画像データのみを表示することを特徴とする請求項１または２記載の画像表示装置。
【請求項４】
前記選択用画像表示エリアは、前記関連性を有する縮小画像データの数に応じてサイズが変更された前記縮小画像データを表示することを特徴とする請求項３記載の画像表示装置。
【請求項５】
前記関連性を有する縮小画像データは、連写で撮影された画像データであることを特徴とする請求項３または４記載の画像表示装置。
【請求項６】
操作可能に設けられ、前記選択用画像表示エリアに表示する前記縮小画像データのサイズ及び数を変更する変更操作手段を備えたことを特徴とする請求項１ないし５いずれか１つ記載の画像表示装置。
【請求項７】
前記選択用画像表示エリアに表示される前記縮小画像データの数は、前記表示手段のサイズに応じて変更されることを特徴とする請求項１ないし６いずれか１つ記載の画像表示装置。
【請求項８】
請求項１ない７いずれか１つ記載の画像表示装置を備えたことを特徴とするデジタルカメラ。
【請求項９】
記憶手段に記憶された複数の撮影画像データそれぞれの縮小画像データを生成し、
複数の前記縮小画像データを表示手段の選択用画像表示エリアに表示し、
前記選択用画像表示エリアに表示された前記複数の縮小画像データの中の１つを選択手段で選択し、
前記選択手段で選択されている縮小画像データを前記表示手段の選択画像表示エリアに表示し、
前記選択画像表示エリアに表示された縮小画像データを決定手段で選択決定し、
前記決定手段で選択決定された縮小画像データを前記表示手段の選択決定画像表示エリアに複数表示し、
前記選択用画像表示エリアと前記選択画像表示エリアと前記選択決定画像表示エリアとに同じ縮小画像データが表示されているときに、それを関連付けて表示することを特徴とする画像表示方法。
【発明の詳細な説明】
【技術分野】
【０００１】
本発明は、画像表示装置及び方法、並びにデジタルカメラに関するものである。
【背景技術】
【０００２】
近年、撮影した画像を画像データとしてメモリカード等の記憶手段に記憶し、記憶した画像データをＬＣＤ等で表示させることにより、撮影画像を印刷することなく撮影画像を見ることができるデジタルカメラが広く普及している。印刷したプリント写真は、アルバム等に整理することにより、効率よく分類及び検索を行うことができる。一方、デジタルカメラで撮影した画像データは、プリント写真に比べて劣化しないというメリットがあるが、整理する手間がかかるという問題があった。そこで、記憶した画像データの整理を容易に行うことができるようにするための技術が提案されている（例えば、特許文献１及び２参照）。
【０００３】
特許文献１及び２では、記憶手段に記憶された画像データを消去するときに、消去の対象となっている画像データが、連写画像の一部であるか否かを判定し、連写画像の一部であると判定された場合には、それをＬＣＤに表示し、連写画像を構成する画像データ全てを一括して消去するか否かを選択可能にしたデジタルカメラが提案されている。
【特許文献１】特開２０００−１５２１５４号公報
【特許文献１】特開２００１−３４６０８５号公報
【発明の開示】
【発明が解決しようとする課題】
【０００４】
しかしながら、特許文献１及び２では、連写画像を構成する画像データ全てを一括して消去することはできるが、連写画像を構成する全ての画像データの中から、１個または複数の画像データを選択して消去することはできない。また、記憶手段に記憶された画像データが連写画像ではない場合にも、記憶手段に記憶された複数の画像データの中から、所望する複数の画像データを消去するときに、１個ずつ選択及び選択決定を実行しなければならないため、手間がかかっていた。そこで、複数の画像データを一括して選択及び選択決定可能にし、一括して選択決定した画像データを纏めて消去することが考えられるが、それまでに選択決定した画像データがどの画像データであるか分からなくなった場合には、初めから画像を選択し直さなければならないため、手間がかかるという問題がある。
【０００５】
本発明は、上記課題を解決するためになされたものであり、記憶手段に記憶された複数の画像データの中から所望する複数の画像データを容易に選択及び選択決定することができる画像表示装置及び方法、並びにデジタルカメラを提供することを目的とする。
【課題を解決するための手段】
【０００６】
上記目的を達成するために、本発明の画像表示装置は、複数の撮影画像データを記憶する記憶手段と、前記複数の撮影画像データそれぞれの縮小画像データを生成する縮小画像データ生成手段と、複数の前記縮小画像データを表示する選択用画像表示エリアが設けられた表示手段と、前記選択用画像表示エリアに表示された前記複数の縮小画像データの中の１つを選択する選択手段と、前記表示手段に設けられ、前記選択手段で選択されている縮小画像データを表示する選択画像表示エリアと、前記選択画像表示エリアに表示された縮小画像データを選択決定する決定手段と、前記表示手段に設けられ、前記決定手段で選択決定された縮小画像データを複数表示する選択決定画像表示エリアと、前記選択用画像表示エリアと前記選択画像表示エリアと前記選択決定画像表示エリアとに同じ縮小画像データが表示されているときに、それを関連付けて表示する表示制御手段と、を備えたことを特徴とする。なお、選択決定され前記選択決定画像表示エリアに表示された縮小画像データに所定の処理を施すことが好ましく、所定の処理としては、選択決定された縮小画像データを消去する、選択決定されているもの以外の縮小画像データを消去する、選択決定された縮小画像データを移動する等が挙げられる。
【０００７】
また、前記選択画像表示エリアは、前記選択用画像表示エリア及び前記選択決定画像表示エリアよりも前記縮小画像データを拡大して表示することが好ましい。
【０００８】
さらに、前記複数の縮小画像データから関連性を有する縮小画像データを検出する関連性検出手段を備え、前記選択用画像表示エリアは、前記関連性検出手段で検出された関連性を有する複数の縮小画像データのみを表示することが好ましい。
【０００９】
また、前記選択用画像表示エリアは、前記関連性を有する縮小画像データの数に応じてサイズが変更された前記縮小画像データを表示することが好ましい。
【００１０】
さらに、前記関連性を有する縮小画像データは、連写で撮影された画像データであることが好ましい。
【００１１】
また、操作可能に設けられ、前記選択用画像表示エリアに表示する前記縮小画像データのサイズ及び数を変更する変更操作手段を備えることが好ましい。
【００１２】
さらに、前記選択用画像表示エリアに表示される前記縮小画像データの数は、前記表示手段のサイズに応じて変更されることが好ましい。
【００１３】
また、本発明のデジタルカメラは、上記画像表示装置を備えたことを特徴とする。
【００１４】
さらに、本発明の画像表示方法は、記憶手段に記憶された複数の撮影画像データそれぞれの縮小画像データを生成し、複数の前記縮小画像データを表示手段の選択用画像表示エリアに表示し、前記選択用画像表示エリアに表示された前記複数の縮小画像データの中の１つを選択手段で選択し、前記選択手段で選択されている縮小画像データを前記表示手段の選択画像表示エリアに表示し、前記選択画像表示エリアに表示された縮小画像データを決定手段で選択決定し、前記決定手段で選択決定された縮小画像データを前記表示手段の選択決定画像表示エリアに複数表示し、前記選択用画像表示エリアと前記選択画像表示エリアと前記選択決定画像表示エリアとに同じ縮小画像データが表示されているときに、それを関連付けて表示することを特徴とする。
【発明の効果】
【００１５】
本発明によれば、選択決定した複数の縮小画像データを選択決定画像表示エリアに表示するから、所望する複数の縮小画像データを選択及び選択決定するときに、それまでに選択決定した縮小画像データを確認しながら行うことができる。これにより、記憶手段に記憶された複数の画像データの中から、所望する複数の画像データを容易に選択及び選択決定することができる。
【００１６】
また、選択画像表示エリアは、選択用画像表示エリア及び選択決定画像表示エリアよりも縮小画像データを拡大して表示するから、選択している縮小画像データを容易に確認することができる。
【発明を実施するための最良の形態】
【００１７】
［第１実施形態］
図１に示すように、本発明を実施したデジタルカメラ２は、カメラ本体３の前面に、撮影レンズ４（図２参照）が組み込まれたレンズ鏡筒５が設けられている。カメラ本体３の上面には、電源のオン／オフ時に押圧操作される電源ボタン６、撮影時に押圧操作されるレリーズボタン７が設けられている。
【００１８】
カメラ本体３の背面には、ＬＣＤ８、ファインダ接眼窓９、操作キー１０、モード切換スイッチ１１、メニューボタン１２、キャンセルボタン１３、ディスプレイボタン１４、ファンクションボタン１５が設けられている。
【００１９】
モード切換スイッチ１１は、デジタルカメラ２を、撮影した撮影画像をメモリカード４１（図２参照）に記憶する撮影モードと、メモリカード４１に記憶された画像をＬＣＤ８に再生表示する再生モードと、メモリカード４１に記憶された画像の中から保存する画像を選択する保存画像選択モードとで切り換える。撮影モードには、通常撮影モードと連写撮影モードとが設けられている。ＬＣＤ８は、画像再生に使用される他に、撮影モードのときには、フレーミング用のスルー画を表示する電子ビューファインダとしても機能する。
【００２０】
メニューボタン１２を押圧すると、ＬＣＤ８には設定画面が表示され、デジタルカメラ２はセットアップモードに切り換わる。この設定画面では、露出値、色合い、ＩＳＯ感度、記録画素数などの画質調整に関する項目など、デジタルカメラ２の全ての調整項目の設定が行われる。また、メニューボタン１２は、選択した項目や処理を確定する。キャンセルボタン１３は、選択した項目や操作をキャンセルする。ディスプレイボタン１４は、ＬＣＤ８をオン／オフする。
【００２１】
操作キー１０は、再生する画像を選択したり、ＬＣＤ８に表示されたカーソル５５（図４参照）を移動するものであり、左シフトキー１０ａ、右シフトキー１０ｂ及び上下シフトキー１０ｃから構成されている。上下シフトキー１０ｃは、水平方向の軸を中心に上下方向に揺動自在に設けられている。本実施形態では、電源ボタン６、レリーズボタン７、操作キー１０、モード切換スイッチ１１、メニューボタン１２、キャンセルボタン１３、ディスプレイボタン１４、ファンクションボタン１５の全てを操作部１６（図２参照）と称する。
【００２２】
図２は、デジタルカメラ２内部の電気的構成を示すブロック図であり、撮影レンズ４の背後には、ハニカム画素配列のＣＣＤ２１が配置され、撮影レンズ４を透過した被写体光が撮像される。撮影レンズ４とＣＣＤ２１との間には、絞り２２と、赤外線カットフィルタ２３と、光学ローパスフィルタ２４とが設けられている。デジタルカメラ２の全体を制御するＣＰＵ２５は、フラッシュ用の発光部２６及び受光部２７を制御する。なお、ハニカム画素配列のＣＣＤ２１に代えて、正方格子配列のＣＣＤを用いてもよく、さらにはベイヤー方式のＣＣＤを用いてもよい。また、ＣＣＤ２１に変えて、ＣＭＯＳセンサを用いてもよい。
【００２３】
ＣＰＵ２５は、レンズ駆動部２８を制御して撮影レンズ４の位置をフォーカス位置に調整するとともに、絞り駆動部２９を介して絞り２２の開口量を制御して露光量を適正露光量に調整する。また、ＣＰＵ２５は、ＣＣＤ駆動部３０を介してＣＣＤ２１を駆動し、撮影レンズ４を通して撮像した被写体画像を色信号として出力させる。
【００２４】
ＣＰＵ２５には、操作部１６が接続されており、操作部１６から入力される操作信号に基づいて、デジタルカメラ２を制御する。
【００２５】
ＣＣＤ２１から出力された信号は、アナログ信号処理部３１に入力され、Ｒ、Ｇ、Ｂの色信号として出力される。アナログ信号処理部３１から出力された色信号は、Ａ／Ｄ変換器３２でデジタルの画像データに変換される。
【００２６】
Ａ／Ｄ変換器３２から出力された画像データは、デジタル信号処理部３３により処理される。積算部３４は、Ａ／Ｄ変換器３２から出力された画像データをＲ、Ｇ、Ｂ毎に積算し各積算値をデジタル信号処理部３３に出力する。デジタル信号処理部３３は、積算部３４から入力された各積算値に基づいて画像データに処理を施す。デジタル信号処理部３３から出力された本画像データは、メインメモリ制御部３５により、メインメモリ３６に記憶される。また、圧縮伸張処理部３７は、本画像データをＪＰＥＧ画像に圧縮したり、圧縮した画像を伸張する。
【００２７】
デジタルカメラ２には、メモリカード４１が着脱自在に挿入される。デジタル信号処理部３３から出力された本画像データは、リサイズ処理部４２で縮小処理されサムネイル画像データＳＤが生成される。本画像データとサムネイル画像データＳＤとは連結されて画像ファイルＦとなり、この画像ファイルＦは、外部メモリ制御部４３により、メモリカード４１に記憶される。また、各画像データは、表示制御部４４によりＬＣＤ８に表示される。各回路３３，３４，３５，３７，４２，４３，４４は、制御バス４６及びデータバス４７によって相互に接続され、ＣＰＵ２５からの指令によって制御される。
【００２８】
図３に示すように、メモリカード４１には、第１〜第１０画像ファイルＦ１〜Ｆ１０が記憶されている。第１画像ファイルＦ１は、第１サムネイル画像データＳＤ１にタグＴ１が付加され、第２画像ファイルＦ２は、第２サムネイル画像データＳＤ２にタグＴ２が付加されている。同様にして、第３〜第１０画像ファイルＦ３〜Ｆ１０は、第３〜第１０サムネイル画像データＳＤ３〜ＳＤ１０にタグＴ３〜Ｔ１０が付加されている。なお、図３においては、各画像ファイルＦ１〜Ｆ１０内の各本画像データの図示を省略している。
【００２９】
第１〜第７サムネイル画像データＳＤ１〜ＳＤ７は、連写撮影モードで撮影された画像であり、各タグＴ１〜Ｔ７には、連写撮影モードでの撮影を示すデータが記録されている。
【００３０】
図４に示すように、デジタルカメラ２を保存画像選択モードにすると、ＣＰＵ２５は、ＬＣＤ８に保存画像選択画面５０を表示する。
【００３１】
保存画像選択画面５０は、複数のサムネイル画像データを表示する選択用画像表示エリア５１と、選択用画像表示エリア５１に表示された複数のサムネイル画像データの中の選択された画像を拡大して表示する選択画像拡大表示エリア５２と、選択決定画像表示エリア５３と、コメント表示エリア５４とから構成される。選択用画像表示エリア５１は第１〜第５選択表示部５１ａ〜５１ｅから構成され、選択決定画像表示エリア５３は第１〜第５決定表示部５３ａ〜５３ｅから構成される。各表示部５１ａ〜５１ｅ及び５３ａ〜５３ｅは、ＬＣＤ８の１／２５（面積比）のサイズで形成されている。選択画像拡大表示エリア５２は、各表示部５１ａ〜５１ｅ及び５３ａ〜５３ｅよりも大きいサイズ（ＬＣＤ８の１／９（面積比））で形成されている。コメント表示エリア５４には、「保存する画像を選択して下さい」という選択コメント画像５７が表示される。
【００３２】
ＣＰＵ２５は、第１選択表示部５１ａに第１サムネイル画像データＳＤ１を表示し、第２選択表示部５１ｂに第２サムネイル画像データＳＤ２を表示し、同様にして、第３〜第５選択表示部５１ｃ〜５１ｅに、第３〜第５サムネイル画像データＳＤ３〜ＳＤ５を表示する。また、ＣＰＵ２５は、カーソル５５を、第５選択表示部５１ｅに位置させる。左シフトキー１０ａを押圧すると、カーソル５５が１個左の選択表示部に移動し、右シフトキー１０ｂを押圧すると、カーソル５５が１個右の選択表示部に移動する。なお、各シフトキー１０ａ，１０ｂの押圧によるカーソル５５の移動数は、１個に限定されることなく、適宜変更可能である。
【００３３】
リサイズ処理部４２は、カーソル５５が位置する選択表示部（第５選択表示部５１ｅ）に表示されたサムネイル画像データ（第５サムネイル画像データＳＤ５）を、選択画像拡大表示エリア５２のサイズに応じたサイズに拡大する。ＣＰＵ２５は、このリサイズされた第５サムネイル画像データＳＤ５を、選択画像拡大表示エリア５２に表示する。ＣＰＵ２５は、第５サムネイル画像データＳＤ５が表示された第５選択表示部５１ｅと選択画像拡大表示エリア５２とを、関連表示ラインＲＬ１で連結する。これにより、選択しているサムネイル画像データを容易に確認することができる。
【００３４】
図４に示すように、第５選択表示部５１ｅにカーソル５５が位置するときに、右シフトキー１０ｂを押圧すると、図５に示すように、ＣＰＵ２５は、サムネイル画像データを左に１個ずつシフトして、第１〜第５選択表示部５１ａ〜５１ｅに表示する。すなわち、第１選択表示部５１ａに第２サムネイル画像データＳＤ２が表示され、第２選択表示部５１ｂに第３サムネイル画像データＳＤ３が表示され、同様にして、第３〜第５選択表示部５１ｃ〜５１ｅに、第４〜第６サムネイル画像データＳＤ４〜ＳＤ６が表示される。
【００３５】
第２サムネイル画像データＳＤ２が表示された第１選択表示部５１ａにカーソル５５が位置するときに、左シフトキー１０ａを押圧すると、図４に示すように、ＣＰＵ２５は、サムネイル画像データを右に１個ずつシフトして、第１〜第５選択表示部５１ａ〜５１ｅに表示する。各シフトキー１０ａ，１０ｂの押圧により、全てのサムネイル画像データ（第１〜第１０サムネイル画像データＳＤ１〜ＳＤ１０）を第１〜第５選択表示部５１ａ〜５１ｅに表示することができる。
【００３６】
図６に示すように、第１サムネイル画像データＳＤ１が表示された第１選択表示部５１ａにカーソル５５を位置させ、この状態で、上下シフトキー１０ｃを上方に向けて操作すると、第１サムネイル画像データＳＤ１が選択決定され、選択決定画像表示エリア５３の第１決定表示部５３ａに表示される。ＣＰＵ２５は、第１サムネイル画像データＳＤ１が表示された選択画像拡大表示エリア５２と第１決定表示部５３ａとを、関連表示ラインＲＬ２で連結する。これにより、選択決定したサムネイル画像データを容易に確認することができる。
【００３７】
選択決定画像表示エリア５３に表示された（選択決定された）サムネイル画像データの選択決定を解除する場合には、そのサムネイル画像データが表示された選択表示部にカーソル５５を位置させる。図６に示すように、第１決定表示部５３ａに表示された第１サムネイル画像データＳＤ１の選択決定を解除する場合には、第１サムネイル画像データＳＤ１が表示された第１選択表示部５１ａにカーソル５５を位置させ、上下シフトキー１０ｃを下方に向けて操作する。上下シフトキー１０ｃを下方に向けて操作すると、ＣＰＵ２５は、第１サムネイル画像データＳＤ１の選択決定を解除し、第１決定表示部５３ａでの第１サムネイル画像データＳＤ１の表示を消す。
【００３８】
ファンクションボタン１５（図１参照）を押圧すると、ＣＰＵ２５は、第１〜第１０サムネイル画像データＳＤ１〜ＳＤ１０のうち、選択決定されていないサムネイル画像データを有する画像ファイルを、メモリカード４１から消去する。
【００３９】
保存するサムネイル画像データとして第１，第３，第４，第５，第７サムネイル画像データＳＤ１，ＳＤ３，ＳＤ４，ＳＤ５，ＳＤ７を順に選択決定すると、図７に示すように、第１〜第５決定表示部５３ａ〜５３ｅに、各サムネイル画像データが順に表示される。この状態で、ファンクションボタン１５（図１参照）を押圧すると、サムネイル画像データＳＤ１〜ＳＤ１０のうち、選択決定されていないサムネイル画像データＳＤ２，ＳＤ６，ＳＤ８，ＳＤ９，ＳＤ１０を有する画像ファイルＦ２，Ｆ６，Ｆ８，Ｆ９，Ｆ１０が、メモリカード４１から消去される。
【００４０】
次に、上記のように構成されたデジタルカメラ２の作用について、図８のフローチャートを用いて説明を行う。ここでは、デジタルカメラ２が保存画像選択モードのときの画像選択方法の流れについて説明を行う。
【００４１】
デジタルカメラ２を保存画像選択モードにする（ステップ（以下、Ｓ）１でＹ）と、ＣＰＵ２５は、ＬＣＤ８に保存画像選択画面５０を表示し（Ｓ２）、メモリカード４１に記憶されたサムネイル画像データを、選択用画像表示エリア５１の第１〜第５選択表示部５１ａ〜５１ｅに表示する（Ｓ３）。
【００４２】
ＣＰＵ２５は、カーソル５５が位置する選択表示部に表示されているサムネイル画像データを、選択画像拡大表示エリア５２に拡大表示する（Ｓ４）。ＣＰＵ２５は、同じサムネイル画像データが表示された選択表示部及び選択画像拡大表示エリア５２を、関連表示ラインＲＬ１で連結する（Ｓ５）。各シフトキー１０ａ〜１０ｃを操作して、第１〜第１０サムネイル画像データＳＤ１〜ＳＤ１０の中から、保存するサムネイル画像データを選択決定する（Ｓ６）。
【００４３】
ＣＰＵ２５は、選択決定されたサムネイル画像データを、選択決定画像表示エリア５３の第１〜第５決定表示部５３ａ〜５３ｅに表示する（Ｓ７）。ＣＰＵ２５は、同じサムネイル画像データが表示された選択画像拡大表示エリア５２及び決定表示部を、関連表示ラインＲＬ２で連結する（Ｓ８）。保存するサムネイル画像データを全て選択決定し（Ｓ９でＹ）、ファンクションボタン１５を押圧すると（Ｓ１０でＹ）、ＣＰＵ２５は、選択決定されていないサムネイル画像データを有する画像ファイルを消去する（Ｓ１１）。
【００４４】
このように、選択しているサムネイル画像データを選択画像拡大表示エリア５２に表示するから、保存するサムネイル画像データを容易に選択することができる。また、選択決定したサムネイル画像データを選択決定画像表示エリア５３に表示するから、複数のサムネイル画像データを選択決定するときに、それまでに選択決定したサムネイル画像データを確認しながら行うことができる。
【００４５】
［第２実施形態］
図９の第２実施形態では、デジタルカメラ２を保存画像選択モードにすると、ＣＰＵ２５は、ＬＣＤ８に保存画像選択画面６０を表示する。なお、第１実施形態のものと同様の構成部材には同一の符号を付し、その詳細な説明を省略する。
【００４６】
保存画像選択画面６０は、選択用画像表示エリア６１と、選択画像拡大表示エリア５２と、選択決定画像表示エリア５３と、コメント表示エリア５４とから構成される。ＣＰＵ２５は、メモリカード４１に記憶されたサムネイル画像データの中から、タグに関連性としての連写データが記録されたサムネイル画像データを検出し、検出した第１〜第７サムネイル画像データＳＤ１〜ＳＤ７のみ、選択用画像表示エリア６１に表示する。本実施形態では、ＣＰＵ２５は、メモリカード４１に記憶された複数のサムネイル画像データから関連性を有するサムネイル画像データを検出する関連性検出手段としても機能する。
【００４７】
ＣＰＵ２５は、検出したサムネイル画像データの数（本実施形態では「７」）に応じて、選択用画像表示エリア６１の選択表示部の数（選択用画像表示エリア６１に表示するサムネイル画像データのサイズ）を変更する。本実施形態では、第１〜第７サムネイル画像データＳＤ１〜ＳＤ７が全て選択用画像表示エリア６１に表示されるように、選択用画像表示エリア６１を、第１〜第７選択表示部６１ａ〜６１ｇから構成する。
【００４８】
なお、検出したサムネイル画像データの数が多い（例えば、２０個）場合には、全てのサムネイル画像データを選択用画像表示エリア６１に表示すると、各選択表示部が小さくなり、サムネイル画像データが見にくくなるため、選択用画像表示エリア６１を１０個程度の選択表示部から構成する。また、ＬＣＤ８のサイズによっては、選択表示部が１０個程度でも、サムネイル画像データが見にくくなることがあるため、ＣＰＵ２５は、ＬＣＤ８のサイズに応じて選択表示部の数（選択用画像表示エリア６１に表示するサムネイル画像データのサイズ）を変更する。
【００４９】
リサイズ処理部４２は、各サムネイル画像データＳＤ１〜ＳＤ７を、各選択表示部６１ａ〜６１ｇのサイズに応じたサイズにリサイズする。ＣＰＵ２５は、このリサイズされた各サムネイル画像データＳＤ１〜ＳＤ７を、各選択表示部６１ａ〜６１ｇに表示する。これにより、連写で撮影された全てのサムネイル画像データを確認しながら、保存するサムネイル画像データを選択することができる。
【００５０】
なお、各選択用画像表示エリア５１，６１の選択表示部の数は、適宜変更可能であり、選択表示部の表示箇所も、ＬＣＤ８の下側端部に限定されない（例えば、ＬＣＤ８の左右側端部に設けてもよい）。さらに、選択表示部のサイズ、すなわちサムネイル画像データのサイズ、及び、選択表示部の数（表示するサムネイル画像データの数）も適宜変更可能であり、各選択用画像表示エリア５１，６１に表示するサムネイル画像データのサイズ及び数を任意に変更可能にしてもよい。例えば、デジタルカメラ２を保存画像選択モードにすると、ＣＰＵ２５は、表示画像サイズ及び表示画像数を決定する画像サイズ・画像数決定画面を表示し、操作キー１０を操作して、所望する表示画像サイズ及び表示画像数を決定する。リサイズ処理部４２は、サムネイル画像データを決定された表示画像サイズにリサイズし、ＣＰＵ２５は、リサイズされたサムネイル画像データを、決定された表示画像数だけ選択用画像表示エリア５１，６１に表示する。
【００５１】
また、ＬＣＤ８のサイズに応じて、選択用画像表示エリア５１の選択表示部の数（選択用画像表示エリア５１に表示するサムネイル画像データのサイズ）を変更するようにしてもよい。
【００５２】
また、関連表示ラインＲＬ１，２で連結する代わりに、各表示部及び選択画像拡大表示エリア５２の外周を点滅表示することにより、各表示エリア５１〜５３のサムネイル画像データを関連付けて表示するようにしてもよい。
【００５３】
さらに、上記実施形態では、タグに連写データが記録されたサムネイル画像データを関連性を有するサムネイル画像データとして検出したが、検出方法は適宜変更可能であり、例えば、タグに撮影を行った撮影時間を記録し、撮影時間の差が所定時間（例えば、１０秒や２４時間等）以内のサムネイル画像データを、関連性を有するサムネイル画像データとして検出するようにしてもよい。
【００５４】
さらに、上記実施形態では、メモリカード４１に記憶されたサムネイル画像データの中から選択したものを保存する形態で説明を行ったが、選択したものを消去する、選択したものを移動するようにしてもよい。
【００５５】
また、上記実施形態では、デジタルカメラ２に本発明を実施したが、携帯電話やＰＤＡに実施してもよい。
【図面の簡単な説明】
【００５６】
【図１】本発明を実施したデジタルカメラを示す背面斜視図である。
【図２】デジタルカメラ内部の電気的構成を示すブロック図である。
【図３】メモリカード内のデータを示す説明図である。
【図４】第１〜第５サムネイル画像データを選択用画像表示エリアに表示した状態の保存画像選択画面を示す説明図である。
【図５】第２〜第６サムネイル画像データを選択用画像表示エリアに表示した状態の保存画像選択画面を示す説明図である。
【図６】第１サムネイル画像データを選択決定画像表示エリアに表示した状態の保存画像選択画面を示す説明図である。
【図７】第１，第３，第４，第５，第７サムネイル画像データを選択決定画像表示エリアに表示した状態の保存画像選択画面を示す説明図である。
【図８】保存画像を選択する処理の流れを示すフローチャートである。
【図９】連写で撮影されたサムネイル画像データのみを選択用画像表示エリアに表示する実施形態の保存画像選択画面を示す説明図である。
【符号の説明】
【００５７】
２  デジタルカメラ
８  ＬＣＤ（表示手段）
１０  操作キー
１０ａ  左シフトキー（選択手段）
１０ｂ  右シフトキー（選択手段）
１０ｃ  上下シフトキー（決定手段）
２５  ＣＰＵ（表示制御手段）
４１  メモリカード（記憶手段）
４２  リサイズ処理部（縮小画像データ生成手段）
５０，６０  保存画像選択画面
５１，６１  選択用画像表示エリア
５１ａ〜５１ｅ  第１〜第５選択表示部
５２  選択画像拡大表示エリア（選択画像表示エリア）
５３  選択決定画像表示エリア
５３ａ〜５３ｅ  第１〜第５決定表示部
６１ａ〜６１ｇ  第１〜第７選択表示部
【図１】
2009253513.tif 000003
【図２】
2009253513.tif 000004
【図３】
2009253513.tif 000005
【図４】
2009253513.tif 000006
【図５】
2009253513.tif 000007
【図６】
2009253513.tif 000008
【図７】
2009253513.tif 000009
【図８】
2009253513.tif 000010
【図９】
2009253513.tif 000011